(57)【要約】【課題】表示素子の輝度パターンと、駆動電圧の極性パターンとの組み合わせを考慮した技術が求められていた。【解決手段】本開示によれば、液晶表示パネルを構成する各表示素子を、入力画素の輝度である基準輝度よりも高い輝度を有する高輝度素子と、基準輝度より小さい輝度を有する低輝度素子とのいずれかに区分し、高輝度素子及び低輝度素子を用いて入力画素を表示し、同じ輝度の区分に属する表示素子のうち、正極性の駆動電圧が印加される表示素子と、負極性の駆動電圧が印加される表示素子との数を一致させる表示制御を行う表示制御部を備える、表示制御装置が提供される。【選択図】図１
2013164549.tif 000002
【特許請求の範囲】
【請求項１】
入力画素の輝度である基準輝度よりも高い輝度を有する高輝度素子と、前記基準輝度より小さい輝度を有する低輝度素子とに区分された表示素子を用いて前記入力画素を表示し、同じ輝度の区分に属する表示素子のうち、正極性の駆動電圧が印加される表示素子と、負極性の駆動電圧が印加される表示素子との数を一致させる表示制御を行う表示制御部を備える、表示制御装置。
【請求項２】
前記表示制御部は、前記表示制御を前記表示素子の色毎に行う、請求項１記載の表示制御装置。
【請求項３】
前記表示制御部は、同一ライン上に前記高輝度素子及び前記低輝度素子を配置する、請求項１記載の表示制御装置。
【請求項４】
前記表示制御部は、同一ライン上での輝度の区分を２素子毎に変更する、請求項３記載の表示制御装置。
【請求項５】
前記表示制御部は、前記駆動電圧の極性を２ライン毎に反転させる、請求項１記載の表示制御装置。
【請求項６】
入力画素の輝度である基準輝度よりも高い輝度を有する高輝度素子と、前記基準輝度より小さい輝度を有する低輝度素子とに区分された表示素子を用いて前記入力画素を表示し、同じ区分に属する表示素子のうち、正極性の駆動電圧が印加される表示素子と、負極性の駆動電圧が印加される表示素子との数を一致させる表示制御を行うことを含む、表示制御方法。
【請求項７】
コンピュータに、
入力画素の輝度である基準輝度よりも高い輝度を有する高輝度素子と、前記基準輝度より小さい輝度を有する低輝度素子とに区分された表示素子を用いて前記入力画素を表示し、同じ区分に属する表示素子のうち、正極性の駆動電圧が印加される表示素子と、負極性の駆動電圧が印加される表示素子との数を一致させる表示制御を行う表示制御機能を実現させる、プログラム。
【発明の詳細な説明】
【技術分野】
【０００１】
本開示は、表示制御装置、表示制御方法、及びプログラムに関する。
【背景技術】
【０００２】
例えば特許文献１に開示されるように、液晶表示パネルの視野角を改善する技術が知られている。特許文献１に開示された技術は、液晶表示パネルの各表示素子を高輝度素子及び低輝度素子に区分し、高輝度素子及び低輝度素子を用いて入力画素を表示する。一方、液晶表示パネルの焼付きを防止するために、各表示素子に印加させる駆動電圧の極性を反転させる技術も知られている。
【先行技術文献】
【特許文献】
【０００３】
【特許文献１】特開２００６−２８５２３８号公報
【発明の概要】
【発明が解決しようとする課題】
【０００４】
しかし、特許文献１に開示された技術は、表示素子の輝度パターン（高輝度素子及び低輝度素子の配列）と駆動電圧の極性パターン（正極性（または負極性）の駆動電圧を有する表示素子の配列）との組み合わせを何ら考慮していなかった。このため、表示素子の輝度パターンと、駆動電圧の極性パターンとの組み合わせを考慮した技術が求められていた。
【課題を解決するための手段】
【０００５】
本開示によれば、入力画素の輝度である基準輝度よりも高い輝度を有する高輝度素子と、基準輝度より小さい輝度を有する低輝度素子とに区分された表示素子を用いて入力画素を表示し、同じ輝度の区分に属する表示素子のうち、正極性の駆動電圧が印加される表示素子と、負極性の駆動電圧が印加される表示素子との数を一致させる表示制御を行う表示制御部を備える、表示制御装置が提供される。
【０００６】
本開示によれば、入力画素の輝度である基準輝度よりも高い輝度を有する高輝度素子と、基準輝度より小さい輝度を有する低輝度素子とに区分された表示素子を用いて入力画素を表示し、同じ区分に属する表示素子のうち、正極性の駆動電圧が印加される表示素子と、負極性の駆動電圧が印加される表示素子との数を一致させる表示制御を行うことを含む、表示制御方法が提供される。
【０００７】
本開示によれば、コンピュータに、入力画素の輝度である基準輝度よりも高い輝度を有する高輝度素子と、基準輝度より小さい輝度を有する低輝度素子とに区分された表示素子を用いて記入力画素を表示し、同じ区分に属する表示素子のうち、正極性の駆動電圧が印加される表示素子と、負極性の駆動電圧が印加される表示素子との数を一致させる表示制御を行う表示制御機能を実現させる、プログラムが提供される。
【０００８】
本開示によれば、同じ輝度の区分に属する表示素子のうち、正極性の駆動電圧が印加される表示素子と、負極性の駆動電圧が印加される表示素子との数を一致させる表示制御が行われる。
【発明の効果】
【０００９】
以上説明したように本開示によれば、表示素子の輝度パターンと、駆動電圧の極性パターンとの組み合わせを考慮した表示制御を行なう。したがって、本開示によれば、データ駆動電圧をより均一にすることができるので、フリッカや画像ムラを抑制することができる。
【図面の簡単な説明】
【００１０】
【図１】本開示の実施形態に係る表示制御装置の構成を示すブロック図である。
【図２】表示制御装置による処理の手順を示すフローチャートである。
【図３】表示制御装置による液晶表示パネルの駆動例を示す説明図である。
【図４】表示制御装置による液晶表示パネルの駆動例を示す説明図である。
【図５】表示制御装置による液晶表示パネルの駆動例を示す説明図である。
【図６】表示制御装置による液晶表示パネルの駆動例を示す説明図である。
【図７】表示制御装置による液晶表示パネルの駆動例を示す説明図である。
【図８】表示制御装置による液晶表示パネルの駆動例を示す説明図である。
【図９】表示制御装置による液晶表示パネルの駆動例を示す説明図である。
【図１０】液晶表示パネルの駆動例を示す説明図である。
【図１１】液晶表示パネルの駆動例を示す説明図である。
【図１２】液晶表示パネルの駆動例を示す説明図である。
【図１３】液晶表示パネルの駆動例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．表示制御装置の構成
２．液晶表示パネルの駆動方法に関する考察
３．本実施形態による液晶表示パネルの各種駆動例
４．表示制御装置による処理の手順
【００１３】
＜１．表示制御装置の構成＞
まず、図１に基づいて、本実施形態に係る表示制御装置１の構成について説明する。表示制御装置１は、液晶表示パネル１０と、バックライト２０と、データドライバ３０と、ゲートドライバ４０と、画像処理部５０と、表示制御部６０と、バックライト制御部７０とを備える。なお、画像処理部５０、表示制御部６０、バックライト制御部７０は、各種のハードウェア構成、例えばＣＰＵ、ＲＯＭ、ＲＡＭ等によって実現される。すなわち、ＲＯＭにはこれらの機能ブロックを実現させるためのプログラムが記録されており、ＣＰＵは、当該プログラムを読みだして実行する。これにより、画像処理部５０、表示制御部６０、及びバックライト制御部７０が実現される。また、表示制御装置１は、液晶表示パネル１０を備えていなくてもよい。この場合、表示制御装置１からの制御情報が外部の液晶表示パネルに供給されることになる。
【００１４】
液晶表示パネル１０は、例えばアクティブマトリクス方式の液晶表示パネルである。液晶表示パネル１０は、図３に示すように、マトリクス状に配置された複数の表示素子１１を備える。各表示素子１１は、赤色を表示する赤色表示素子１１Ｒ、緑色を表示する緑色表示素子１１Ｇ、青色を表示する青色表示素子１１Ｂのいずれかである。縦方向には、同じ色の表示素子１１が配置される。また、横方向には、赤、緑、青の順番で表示素子１１が配置される。また液晶表示パネル１０は、互いに隣接する２つの赤色表示素子１１Ｇ、２つの緑色表示素子１１Ｇ、２つの青色表示素子１１Ｂによって単位素子１２が形成される。各単位素子１２は、画像情報の各入力画素を表示する。
【００１５】
各表示素子１１は、概略的には、ＴＦＴ（Ｔｈｉｎ  Ｆｉｌｍ  Ｔｒａｎｓｉｓｔｏｒ）と、画素電極と、コモン電極と、液晶層と、Ｃｓ電極とを備える。ＴＦＴのソースはデータバスライン３１に、ゲートはゲートバスライン４１に、ドレインは画素電極にそれぞれ接続される。液晶層は画素電極とコモン電極との間に配置される。データドライバ３０及びゲートドライバ４０から駆動電圧が供給されることで、画素電極とコモン電極との間に電圧が発生し、この電圧によって液晶層の配向が変化する。Ｃｓ電極は画素電極の電荷を保持するためのものである。
【００１６】
図３に示す例では、縦方向に並ぶ表示素子１１は、全て同じデータバスライン３１に接続される。このような配線はストレート配線とも称される。なお、液晶表示パネル１０の配線はストレート配線に限られず、例えば図６に示すクロス配線であってもよい。クロス配線では、縦方向に並ぶ表示素子１１は、互いに隣接する２本のデータバスライン３１の各々に交互に接続される。
【００１７】
バックライト２０は、液晶表示パネル１０を後方から照らす。データドライバ３０は、データバスライン３１を介して表示素子１１に駆動電圧、即ちデータ駆動電圧を供給する。ゲートドライバ４０は、ゲートバスライン４１を介して表示素子１１に駆動電圧、即ちゲート駆動電圧を供給する。
【００１８】
画像処理部５０は、外部から与えられる画像情報（入力画像）に対して各種の前処理（ホワイトバランス、階調、及び色度の調整等）を行い、前処理後の画像情報を表示制御部６０に出力する。表示制御部６０は、データドライバ３０及びゲートドライバ４０を制御することで、画像情報を液晶表示パネル１０に表示させる。
【００１９】
＜２．液晶表示パネルの駆動方法に関する考察＞
ここで、液晶表示パネル１０の駆動方法について考察する。液晶表示パネル１０の駆動方法として、各表示素子１１に印加するデータ駆動電圧の極性をフレーム毎に反転させる駆動方法、いわゆるフレーム反転方法が知られている。このような駆動を行うことで、液晶表示パネル１０の焼付きが防止される。また、フリッカや解像度間の劣化を防ぐため、極性パターン（正極性（または負極性）のデータ駆動電圧を有する表示素子１１の配列）は、図１０に示すようにドット市松パターンとされる場合がある。即ち、正極性のデータ駆動電圧を有する表示素子１１の配列は、市松模様を形成する。負極性のデータ駆動電圧を有する表示素子１１についても同様である。さらに、各ゲートバスライン４１に接続された表示素子１１（横ライン上の表示素子１１）は、１素子毎に極性が変化する。なお、図１０中、「＋」は正極性のデータ駆動電圧を示し、「−」は負極性のデータ駆動電圧を示す。他の図においても同様である。
【００２０】
一方、近年の液晶表示パネルの技術においては、動画解像度を改善するなどのために２４０Ｈｚなどの高い周波数で駆動することが多くなってきている。これを実現するにはＴＦＴの充電率を高い値に維持する必要がある。これを解決するために１本のデータバスライン３１に同じ極性の駆動電圧を印加することで、データバスライン３１のインピーダンスによるデータ駆動電圧の鈍りの影響を低減する方法が頻繁に用いられている。この場合、図１１に示すように、極性パターンは縦ライン反転パターンとなることが多い。即ち、１本のデータバスライン３１に接続された表示素子１１は、同じ極性のデータ駆動電圧を有し、隣接するデータバスライン３１の表示素子１１は、互いに異なる極性のデータ駆動電圧を有する。
【００２１】
一方、液晶表示パネル１０の視野角を改善するために、画像情報の１つの画素（入力画素）を複数の表示素子１１で表示する駆動方法も知られている。この駆動方法では、表示素子１１を入力画素の輝度、即ち基準輝度よりも高い輝度を有する高輝度素子と基準輝度よりも低い輝度を有する低輝度素子に区分する。そして、高輝度素子及び低輝度素子を用いて、入力画素を表示する。
【００２２】
また、この駆動方法では、解像度の低下やフリッカの発生を防止するために、輝度パターン（高輝度素子及び低輝度素子の配列）は出来るだけ細かいことが好ましい。輝度パターンとしては、図１２及び図１３に示すドット市松パターンが知られている。即ち、高輝度素子の配列は、市松模様を形成する。低輝度素子の配列についても同様である。さらに、さらに、各ゲートバスライン４１に接続された表示素子１１は、１素子毎に輝度の区分が変化する。なお、図１２及び図１３では、ハッチの有無で高輝度素子と低輝度素子とを区別する。即ち、ハッチが描かれた素子が低輝度素子であり、ハッチが描かれない素子が高輝度素子である。他の図も同様である。
【００２３】
しかし、この駆動方法では、上記の極性パターンとの干渉により画質の劣化が起こることがある。例えば、図１２に示すように、極性パターン及び輝度パターンが共にドット市松パターンとなる場合、高輝度素子は全て正極性のデータ駆動電圧を有するので、正極性のデータ駆動電圧の絶対値が負極性のデータ駆動電圧の絶対値より高くなっている。そのためＣｓ電圧およびコモン電圧は正極性側に引っ張られることとなるので、データ駆動電圧に不均一が生じフリッカやインピーダンスの差による画面ムラなどが生じてしまっていた。図１３についても同様である。
【００２４】
そこで、本実施形態の表示制御装置１は、データ駆動電圧をより均一にすることで、フリッカや画像ムラを抑制する。即ち、表示制御部６０は、まず、単位素子１２を構成する赤色表示素子１１Ｒを高輝度素子及び低輝度素子のいずれかに区分する。ここで、高輝度素子は、入力画素（画像情報の画素）のＲ値（赤色の輝度）である基準輝度よりも高い輝度を有する素子である。低輝度表示素子は、基準輝度より小さい輝度を有する素子である。ここで、表示制御部６０は、高輝度素子及び低輝度素子のパターンがなるべく細かくなるように、高輝度素子及び低輝度素子を分布させる。高輝度素子及び低輝度素子のパターンが細かいほど、液晶表示パネル１０の解像度の低下が抑えられるからである。
【００２５】
そして、表示制御部６０は、入力画素のＲ値（赤色の輝度）に基づいて、高輝度素子及び低輝度素子の輝度を決定する。即ち、表示制御部６０は、高輝度素子及び低輝度素子を用いて入力画素を表示する。これにより、視野角の改善が図られる。なお、表示制御部６０は、入力画素のＲ値と高輝度素子及び低輝度素子の輝度との対応関係を示すテーブルを記憶しており、このテーブルを用いて、高輝度素子及び低輝度素子の輝度を決定する。なお、入力画素の輝度が液晶表示パネル１０により表示可能な輝度の最大値となる場合、高輝度素子及び低輝度素子の輝度はいずれも当該最大値に一致する。
【００２６】
さらに、表示制御部６０は、同じ輝度の区分に属する赤色表示素子１１Ｒのうち、正極性のデータ駆動電圧が印加される赤色表示素子１１Ｒと、負極性のデータ駆動電圧が印加される赤色表示素子１１Ｒとの数が一致するように、データ駆動電圧の極性を決定する。表示制御部６０は、緑色及び青色の表示素子１１についても、同様の処理を行う。ここで、各表示素子１１に印加されるデータ駆動電圧の極性は、フレーム毎（または周期的に）反転してもよい。例えば、ある表示素子に印加された駆動電圧が、あるフレームで正極性となる場合、その表示素子に印加される駆動電圧は、次のフレームで負極性となってもよい。
【００２７】
＜３．液晶表示パネルの駆動例＞
次に、本実施形態による具体的な駆動例を説明する。図３〜図９は、本実施形態の駆動例を示す。図３では、極性パターンがドット市松パターンとなっており、輝度パターンが横２ドット市松パターンとなっている。即ち、ゲートバスライン４１に接続された表示素子１１は、２素子毎に輝度の区分が変化する。また、高輝度素子及び低輝度素子の配列は市松模様となる。
【００２８】
一方、図４では、極性パターンが縦ライン反転パターンとなっており、輝度パターンが横２ドット市松パターンとなっている。図５では、極性パターンが縦２ライン反転パターンとなっており、輝度パターンがドット市松パターンとなっている。即ち、データ駆動電圧の極性がデータバスライン２本毎に反転する。図５の駆動例は、図４の駆動例よりも輝度パターンが細かくなっているので、解像度の低下を抑制することができる。しかし、ある表示素子１１の左右の表示素子１１が互いに異なる極性のデータ駆動電圧を有するので、表示制御部６０は、これらの極性の差分に応じた補正を行なってもよい。
【００２９】
図６では、極性パターンがドット市松パターンとなっており、輝度パターンが横２ドット市松パターンとなっており、表示素子１１の配線がクロス配線となっている。図７では、極性パターンが縦２ライン反転パターンとなっており、輝度パターンがドット市松パターンとなっており、表示素子１１の配線がクロス配線となっている。
【００３０】
一方、図８では、極性パターンがドット市松パターンとなっており、輝度パターンが横ラインパターンとなっている。即ち、１本のゲートバスライン４１に接続された表示素子１１は、同じ区分の輝度を有し、隣接するゲートバスライン４１上の表示素子１１は異なる区分の輝度を有する。図９では、極性パターンが縦ライン反転パターンとなっており、輝度パターンが横ラインパターンとなっている。
【００３１】
図３〜図９に示すいずれの駆動例においても、同じ輝度の区分に属する表示素子１１のうち、正極性のデータ駆動電圧が印加される表示素子１１と、負極性のデータ駆動電圧が印加される表示素子１１との数が一致する。例えば、正極性のデータ駆動電圧を有する高輝度素子と、負極性のデータ駆動電圧を有する高輝度素子との数は一致する。即ち、表示制御部６０は、表示素子１１の輝度パターンと、データ駆動電圧の極性パターンとの組み合わせを考慮して、液晶表示パネル１０を制御する。これにより、表示制御部６０は、データ駆動電圧をより均一にすることができるので、フリッカや画像ムラを抑制することができる。
【００３２】
なお、図８や図９の駆動例であっても、データ駆動電圧をより均一にすることができる。ただし、これらの駆動例では、縦ライン方向、即ちデータバスライン３１方向の解像度が落ちる。したがって、輝度パターンはより細かいパターン、具体的には、図３〜図７に示すパターンであることが好ましい。図３〜図７に示す例では、少なくとも、同一ゲートバスライン４１上に高輝度素子及び低輝度素子が配置される。図３、図４、及び図６では、同一ゲートバスライン４１上での輝度の区分が２素子毎に変化する。これらの例では、解像度の低下が抑制される。
【００３３】
＜４．表示制御装置による処理の手順＞
次に、表示制御装置１による処理の手順を図２に示すフローチャートに沿って説明する。ステップＳ１０において、画像処理部５０は、画像情報を取得し、画像情報に対して各種の前処理（ホワイトバランス、階調、及び色度の調整等）を行い、前処理後の画像情報を表示制御部６０及びバックライト制御部７０に出力する。
【００３４】
ステップＳ２０において、表示制御部６０は、各表示素子１１の輝度パターンを決定する。輝度パターンの決定方法は上述したとおりである。即ち、表示制御部６０は、まず、単位素子１２を構成する赤色表示素子１１Ｒを高輝度素子及び低輝度素子のいずれかに区分する。そして、表示制御部６０は、入力画素のＲ値に基づいて、高輝度素子及び低輝度素子の輝度を決定する。これにより、表示制御部６０は、赤色表示素子１１Ｒの輝度パターンを決定する。表示制御部６０は、緑色及び青色の表示素子１１Ｇ、１１Ｒについても同様に輝度パターンを決定する。
【００３５】
ステップＳ３０において、表示制御部６０は、オーバードライブ処理を行なう。このオーバードライブ処理は、例えば画像情報が動画情報である場合に、各表示素子１１へのデータ駆動電圧を高める処理である。
【００３６】
ステップＳ４０において、表示制御部６０は、データ駆動電圧の極性パターンを決定する。極性パターンの決定方法は上述したとおりである。即ち、表示制御部６０は、同じ輝度の区分に属する赤色表示素子１１Ｒのうち、正極性のデータ駆動電圧が印加される赤色表示素子１１Ｒと、負極性のデータ駆動電圧が印加される赤色表示素子１１Ｒとの数が一致するように、各赤色表示素子１１Ｒに印加するデータ駆動電圧の極性を決定する。表示制御部６０は、緑色及び青色の表示素子１１Ｇ、Ｂについても、同様の処理を行う。
【００３７】
ステップＳ５０において、表示制御部６０は、決定した輝度パターン及び極性パターンで液晶表示パネル１０を駆動する。具体的には、表示制御部６０は、輝度パターン及び極性パターンを示す制御情報をデータドライバ３０及びゲートドライバ４０に出力し、データドライバ３０及びゲートドライバ４０は、与えられた制御情報に基づいて、各表示素子１１を駆動する。バックライト制御部７０は、液晶表示パネル１０の駆動に同期して、バックライト２０を点灯させる。これにより、液晶表示パネル１０は画像情報を表示する。その後、表示制御装置１は処理を終了する。
【００３８】
以上により、本実施形態によれば、表示制御装置１は、同じ輝度の区分に属する表示素子１１のうち、正極性のデータ駆動電圧が印加される表示素子１１と、負極性のデータ駆動電圧が印加される表示素子１１との数を一致させる表示制御を行う。即ち、表示制御装置１は、表示素子１１の輝度パターンと、データ駆動電圧の極性パターンとの組み合わせを考慮して、液晶表示パネル１０を制御する。これにより、表示制御装置１は、データ駆動電圧をより均一にすることができるので、フリッカや画像ムラを抑制することができる。
【００３９】
さらに、表示制御装置１は、表示制御を表示素子１の色毎に行うので、データ駆動電圧をより均一にすることができる。
【００４０】
さらに、表示制御装置１は、同一ゲートバスライン４１上に高輝度素子及び低輝度素子を配置するので、解像度の低下を抑制することができる。
【００４１】
さらに、表示制御装置１は、同一ゲートバスライン４１上での輝度の区分を２素子毎に変化させるので、解像度の低下をより確実に抑制することができる。
【００４２】
さらに、表示制御装置１は、データ駆動電圧の極性をデータバスライン２本毎に反転させるので、輝度パターンをより細かいパターンに設定することができる。
【００４３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４４】
例えば、表示素子１１は、さらに複数のサブ表示素子に区分され、これらのサブ表示素子の輝度の組み合わせにより、表示素子１１の輝度が表示されてもよい。なお、このような処理はハーフトーン処理とも称される。
【００４５】
なお、以下のような構成も本開示の技術的範囲に属する。
（１）
入力画素の輝度である基準輝度よりも高い輝度を有する高輝度素子と、前記基準輝度より小さい輝度を有する低輝度素子とに区分された表示素子を用いて前記入力画素を表示し、同じ輝度の区分に属する表示素子のうち、正極性の駆動電圧が印加される表示素子と、負極性の駆動電圧が印加される表示素子との数を一致させる表示制御を行う表示制御部を備える、表示制御装置。
（２）
前記表示制御部は、前記表示制御を前記表示素子の色毎に行う、前記（１）記載の表示制御装置。
（３）
前記表示制御部は、同一ライン上に前記高輝度素子及び前記低輝度素子を配置する、前記（１）または（２）記載の表示制御装置。
（４）
前記表示制御部は、同一ライン上での輝度の区分を２素子毎に変更する、前記（３）記載の表示制御装置。
（５）
前記表示制御部は、前記駆動電圧の極性を２ライン毎に反転させる、前記（１）〜（４）のいずれか１項に記載の表示制御装置。
（６）
入力画素の輝度である基準輝度よりも高い輝度を有する高輝度素子と、前記基準輝度より小さい輝度を有する低輝度素子とに区分された表示素子を用いて前記入力画素を表示し、同じ区分に属する表示素子のうち、正極性の駆動電圧が印加される表示素子と、負極性の駆動電圧が印加される表示素子との数を一致させる表示制御を行うことを含む、表示制御方法。
（７）
コンピュータに、
入力画素の輝度である基準輝度よりも高い輝度を有する高輝度素子と、前記基準輝度より小さい輝度を有する低輝度素子とに区分された表示素子を用いて前記入力画素を表示し、同じ区分に属する表示素子のうち、正極性の駆動電圧が印加される表示素子と、負極性の駆動電圧が印加される表示素子との数を一致させる表示制御を行う表示制御機能を実現させる、プログラム。
【符号の説明】
【００４６】
１      表示制御装置
１０    液晶表示パネル
２０    バックライト
３０    データドライバ
４０    ゲートドライバ
５０    画像処理部
６０    表示制御部
７０    バックライト制御部
【図１】
2013164549.tif 000003
【図２】
2013164549.tif 000004
【図３】
2013164549.tif 000005
【図４】
2013164549.tif 000006
【図５】
2013164549.tif 000007
【図６】
2013164549.tif 000008
【図７】
2013164549.tif 000009
【図８】
2013164549.tif 000010
【図９】
2013164549.tif 000011
【図１０】
2013164549.tif 000012
【図１１】
2013164549.tif 000013
【図１２】
2013164549.tif 000014
【図１３】
2013164549.tif 000015